(57)【要約】【課題】基板の強度を向上することが可能な表示装置を提供する。【解決手段】本実施形態によれば、端子部に形成される接続面を含む第１面と、第１面と反対側の第２面と、第１面と第２面との間に位置する第１側面と、を有する第１基板と、接続面を除く第１面と対向する第３面と、第３面と反対側の第４面と、第３面と第４面との間に位置する第２側面と、を有する第２基板と、を備え、第１基板は、端子部において、第１面と第１側面とに繋がる第１斜面を有し、第２基板は、端子部と隣接する位置において、第４面と第２側面とに繋がる第２斜面を有し、第１斜面の幅は、第２斜面の幅より小さい、表示装置が提供される。【選択図】      図３
2018180017.tif 000002
【特許請求の範囲】
【請求項１】
端子部に形成される接続面を含む第１面と、前記第１面と反対側の第２面と、前記第１面と前記第２面との間に位置する第１側面と、を有する第１基板と、
前記接続面を除く前記第１面と対向する第３面と、前記第３面と反対側の第４面と、前記第３面と前記第４面との間に位置する第２側面と、を有する第２基板と、
を備え、
前記第１基板は、前記端子部において、前記第１面と前記第１側面とに繋がる第１斜面を有し、
前記第２基板は、前記端子部と隣接する位置において、前記第４面と前記第２側面とに繋がる第２斜面を有し、
前記第１斜面の幅は、前記第２斜面の幅より小さい、表示装置。
【請求項２】
前記表示装置は、第１方向に沿った第１辺と、
前記第１方向と交差する第２方向に沿った第２辺と、
前記第１辺と前記第２辺との間に位置する曲線状の角部と、
を備えている、請求項１に記載の表示装置。
【請求項３】
前記第１斜面、及び前記第２斜面は、前記角部に位置している、請求項２に記載の表示装置。
【請求項４】
前記第１側面は、前記第１辺、前記第２辺及び前記角部に亘って、前記第１面と前記第２面との間に位置し、
前記第２側面は、前記第２辺及び前記角部の少なくとも一部に亘って、前記第３面と前記第４面との間に位置する、請求項２又は３に記載の表示装置。
【請求項５】
さらに、前記第１基板は、前記第２面と前記第１側面とに繋がる第３斜面を有している、請求項２乃至４のいずれか１項に記載の表示装置。
【請求項６】
前記第３斜面の幅は、前記第２斜面の幅と等しい、請求項５に記載の表示装置。
【請求項７】
前記第２基板は、前記端子部に沿って延在し前記第３面と前記第４面との間に位置する第３側面と、前記第２側面及び前記第３側面の間に位置する第４斜面とを有し、
前記第４斜面は、前記第３面と前記第４面とに繋がる凹面である、請求項２又は３に記載の表示装置。
【請求項８】
前記第１斜面は、凹面であり、
前記第１斜面の曲率半径と、前記第４斜面の曲率半径とは、等しい、請求項７に記載の表示装置。
【請求項９】
表示領域と、
前記表示領域の外側に位置する非表示領域と、
前記非表示領域に配置された遮光層をさらに備え、
前記表示領域と前記端子部との間に位置する前記遮光層の前記第２方向に沿った幅は、前記表示領域と前記第２辺との間に位置する前記遮光層の前記第１方向に沿った幅より大きい、請求項２乃至８のいずれか１項に記載の表示装置。
【発明の詳細な説明】
【技術分野】
【０００１】
本発明の実施形態は、表示装置に関する。
【背景技術】
【０００２】
液晶表示装置等の表示装置において、薄膜トランジスタ等のスイッチング素子が形成された第１基板と、カラーフィルタ等を備えた第２基板とが、互いに対向するように貼り合わされている。このような第１基板及び第２基板は、例えばガラス基板であり、損傷しやすい端部における強度の向上が求められている。
【先行技術文献】
【特許文献】
【０００３】
【特許文献１】特開平１１−３２６８８１号公報
【特許文献２】特開２０１３−２２１９５９号公報
【特許文献３】特開２００４−１５１５５１号公報
【特許文献４】特開２００１−４２３０３号公報
【特許文献５】特開２０１３−００３５７０号公報
【発明の概要】
【発明が解決しようとする課題】
【０００４】
本実施形態の目的は、基板の強度を向上することが可能な表示装置を提供することにある。
【課題を解決するための手段】
【０００５】
本実施形態によれば、  
端子部に形成される接続面を含む第１面と、前記第１面と反対側の第２面と、前記第１面と前記第２面との間に位置する第１側面と、を有する第１基板と、前記接続面を除く前記第１面と対向する第３面と、前記第３面と反対側の第４面と、前記第３面と前記第４面との間に位置する第２側面と、を有する第２基板と、を備え、前記第１基板は、前記端子部において、前記第１面と前記第１側面とに繋がる第１斜面を有し、前記第２基板は、前記端子部と隣接する位置において、前記第４面と前記第２側面とに繋がる第２斜面を有し、前記第１斜面の幅は、前記第２斜面の幅より小さい、表示装置が提供される。
【図面の簡単な説明】
【０００６】
【図１】図１は、本実施形態に係る表示装置ＤＳＰの構成例を示す平面図である。
【図２】図２は、図１に示す表示領域ＤＡの構造を示す断面図である。
【図３】図３は、図１に示す角部ＣＮ１の近傍を拡大して示す斜視図である。
【図４】図４は、図３に示す方向ＤＲ１に沿った断面図である。
【図５】図５は、図３に示す方向ＤＲ２に沿った断面図である。
【図６】図６は、角部ＣＮ１の他の構成例を示す斜視図である。
【図７Ａ】図７Ａは、図６に示す方向ＤＲ３に沿った断面図である。
【図７Ｂ】図７Ｂは、角部ＣＮ１の他の構成例を示す断面図である。
【図８】図８は、角部ＣＮ１の他の構成例を示す断面図である。
【発明を実施するための形態】
【０００７】
以下、本実施形態について、図面を参照しながら説明する。なお、開示はあくまで一例に過ぎず、当業者において、発明の主旨を保っての適宜変更について容易に想到し得るものについては、当然に本発明の範囲に含有されるものである。また、図面は、説明をより明確にするため、実際の態様に比べて、各部の幅、厚さ、形状等について模式的に表される場合があるが、あくまで一例であって、本発明の解釈を限定するものではない。また、本明細書と各図において、既出の図に関して前述したものと同一又は類似した機能を発揮する構成要素には同一の参照符号を付し、重複する詳細な説明を適宜省略することがある。
【０００８】
図１は、本実施形態に係る表示装置ＤＳＰの構成例を示す平面図である。図１は、第１方向Ｘと、第１方向Ｘに垂直な第２方向Ｙと、第１方向Ｘ及び第２方向Ｙに垂直な第３方向Ｚによって規定される三次元空間を示している。なお、図中の第１方向Ｘ、第２方向Ｙ、及び、第３方向Ｚは、互いに直交しているが、９０度以外の角度で交差していてもよい。
【０００９】
本実施形態においては、第３方向Ｚの矢印の先端に向かう方向を上と定義し、第３方向Ｚの矢印の先端に向かう方向とは反対側の方向を下と定義する。また、「第１部材の上の第２部材」及び「第１部材の下の第２部材」とした場合、第２部材は、第１部材に接していてもよく、又は第１部材から離れて位置していてもよい。後者の場合、第１部材と第２部材との間に、第３の部材が介在していてもよい。
【００１０】
以下では、表示装置ＤＳＰが液晶表示装置である場合について説明する。なお、表示装置ＤＳＰは、有機エレクトロルミネッセンス（ＥＬ）素子を有する有機ＥＬ表示装置、あるいは電気泳動型素子等を有する電子ペーパー型表示装置等、他の表示装置であってもよい。
【００１１】
表示装置ＤＳＰは、表示パネルＰＮＬ、配線基板１、駆動ＩＣチップ２などを備えている。
【００１２】
表示パネルＰＮＬは、基板ＳＵＢ１、基板ＳＵＢ２、液晶層（後述する液晶層ＬＣ）、シールＳＥ、及び周辺遮光層ＢＭＡを備えている。基板ＳＵＢ１及びＳＵＢ２は、一例では、ガラス基板である。基板ＳＵＢ１と基板ＳＵＢ２とは、第３方向Ｚに対向し、これらの間に所定のセルギャップを形成した状態でシールＳＥによって接着されている。図において、右上がりの斜線が付された領域は、シールＳＥが設けられた領域を示している。液晶層は、基板ＳＵＢ１と基板ＳＵＢ２との間で、シールＳＥによって囲まれた領域内に位置している。周辺遮光層ＢＭＡは、図において右下がりの斜線を付して示したように、環状に配置されている。図示した例では、シールＳＥは、そのすべてが周辺遮光層ＢＭＡと重なっている。
【００１３】
表示パネルＰＮＬは、画像を表示する表示領域ＤＡ、及び、表示領域ＤＡを囲み外側に位置する非表示領域ＮＤＡを備えている。本実施形態において、表示領域ＤＡは、周辺遮光層ＢＭＡによって囲まれた内側の領域であり、非表示領域ＮＤＡは、周辺遮光層ＢＭＡが設けられた領域である。
【００１４】
表示パネルＰＮＬは、第１方向Ｘに沿って延伸し第２方向Ｙに対向した一対の辺ＳＬ１及びＳＬ２と、第２方向Ｙに沿って延伸し第１方向Ｘに対向した一対の辺ＳＬ３及びＳＬ４と、交差する２つの辺の間に位置する角部ＣＮ（ＣＮ１乃至ＣＮ４）とを有している。一例では、角部ＣＮは、曲率半径がＲ１の曲線状である。すなわち、角部ＣＮは、点Ｏを中心とする半径Ｒ１の円ＣＩＲの４分の１の周に相当する。点Ｏは、基板ＳＵＢ１及び基板ＳＵＢ２と重なる領域に位置している。図１では、位置Ａと位置Ｂとの間の領域として角部ＣＮ１を示している。位置Ａは、辺ＳＬ３の第２方向Ｙの一端に相当し、位置Ｂは、辺ＳＬ１の第１方向Ｘの一端に相当する。
【００１５】
なお、各角部ＣＮ１乃至ＣＮ４の曲率半径は、それぞれ異なっていてもよい。また、角部ＣＮの形状は、円の周に沿った形状でなくてもよい。角部ＣＮは、丸みを帯びた形状であればよく、例えば楕円の周に沿った形状でもよく、円及び楕円の周以外の曲線状であってもよい。
【００１６】
図示した例では、辺ＳＬ１の近傍を除き、基板ＳＵＢ１の縁と基板ＳＵＢ２の縁とは揃っている。基板ＳＵＢ２は、辺ＳＬ１と平行で、且つ辺ＳＬ１より表示領域ＤＡ側に位置する辺ＳＬ５を有している。つまり、第１方向Ｘ及び第２方向Ｙで規定されるＸ−Ｙ平面において、基板ＳＵＢ２の面積は、基板ＳＵＢ１の面積より小さい。基板ＳＵＢ１は、辺ＳＬ５より第２方向Ｙに延出した端子部ＭＴを有している。図示した例では、端子部ＭＴは、第１方向Ｘに沿って延在している。
【００１７】
配線基板１は、端子部ＭＴに実装され、表示パネルＰＮＬと電気的に接続されている。配線基板１は、駆動ＩＣチップ２を備えている。駆動ＩＣチップ２は、例えば、画像表示に必要な信号を出力するディスプレイドライバを内蔵している。なお、図示した例では、配線基板１の第１方向Ｘに平行な側縁の長さは、辺ＳＬ１の長さと比べて小さいが、同等であってもよい。
【００１８】
図示した例では、辺ＳＬ５近傍の周辺遮光層ＢＭＡの幅は、辺ＳＬ２、ＳＬ３、及びＳＬ４近傍の周辺遮光層ＢＭＡの幅より大きい。すなわち、表示領域ＤＡと端子部ＭＴとの間に配置された周辺遮光層ＢＭＡの幅Ｗ５は、表示領域ＤＡと辺ＳＬ２、ＳＬ３、ＳＬ４との間に配置された周辺遮光層ＢＭＡの幅Ｗ２、Ｗ３、及びＷ４より大きい。ここで、幅Ｗ５及びＷ２は、第２方向Ｙに沿った長さであり、幅Ｗ３及びＷ４は、第１方向Ｘに沿った長さである。
【００１９】
なお、本実施形態の表示パネルＰＮＬは、基板ＳＵＢ１の背面側からの光を選択的に透過させることで画像を表示する透過表示機能を備えた透過型、基板ＳＵＢ２の前面側からの光を選択的に反射させることで画像を表示する反射表示機能を備えた反射型、あるいは、透過表示機能及び反射表示機能を備えた半透過型のいずれであってもよい。
【００２０】
図２は、図１に示す表示パネルＰＮＬの表示領域ＤＡの構造を示す断面図である。ここでは、表示装置ＤＳＰを第３方向Ｚに沿って切断した断面図を示す。図示した表示パネルＰＮＬは、主として基板主面にほぼ平行な横電界を利用する表示モードに対応した構成を有している。なお、ここでの基板主面とは、Ｘ−Ｙ平面と平行な面である。
【００２１】
基板ＳＵＢ１は、絶縁基板１０、信号線Ｓ、共通電極ＣＥ、金属層Ｍ、画素電極ＰＥ、第１絶縁膜１１、第２絶縁膜１２、第３絶縁膜１３、第１配向膜ＡＬ１などを備えている。なお、ここでは、スイッチング素子や走査線、これらの間に介在する各種絶縁膜等の図示を省略している。
【００２２】
第１絶縁膜１１は、絶縁基板１０の上に位置している。図示しない走査線やスイッチング素子の半導体層は、絶縁基板１０と第１絶縁膜１１の間に位置している。信号線Ｓは、第１絶縁膜１１の上に位置している。第２絶縁膜１２は、信号線Ｓ、及び、第１絶縁膜１１の上に位置している。共通電極ＣＥは、第２絶縁膜１２の上に位置している。金属層Ｍは、信号線Ｓの直上において共通電極ＣＥに接触している。図示した例では、金属層Ｍは、共通電極ＣＥの上に位置しているが、共通電極ＣＥと第２絶縁膜１２との間に位置していてもよい。第３絶縁膜１３は、共通電極ＣＥ、及び、金属層Ｍの上に位置している。画素電極ＰＥは、第３絶縁膜１３の上に位置している。画素電極ＰＥは、第３絶縁膜１３を介して共通電極ＣＥと対向している。また、画素電極ＰＥは、共通電極ＣＥと対向する位置にスリットＳＬを有している。第１配向膜ＡＬ１は、画素電極ＰＥ及び第３絶縁膜１３を覆っている。
【００２３】
走査線、信号線Ｓ、及び、金属層Ｍは、モリブデン、タングステン、チタン、アルミニウムなどの金属材料によって形成され、単層構造であってもよいし、多層構造であってもよい。共通電極ＣＥ及び画素電極ＰＥは、ＩＴＯやＩＺＯなどの透明な導電材料によって形成されている。第１絶縁膜１１及び第３絶縁膜１３は無機絶縁膜であり、第２絶縁膜１２は有機絶縁膜である。
【００２４】
なお、基板ＳＵＢ１の構成は、図示した例に限らず、画素電極ＰＥが第２絶縁膜１２と第３絶縁膜１３との間に位置し、共通電極ＣＥが第３絶縁膜１３と第１配向膜ＡＬ１との間に位置していてもよい。このような場合、画素電極ＰＥはスリットを有していない平板状に形成され、共通電極ＣＥは画素電極ＰＥと対向するスリットを有する。また、画素電極ＰＥ及び共通電極ＣＥの双方が櫛歯状に形成され、互いに噛み合うように配置されていてもよい。
【００２５】
基板ＳＵＢ２は、絶縁基板２０、遮光層ＢＭ、カラーフィルタＣＦ、オーバーコート層ＯＣ、第２配向膜ＡＬ２などを備えている。
【００２６】
遮光層ＢＭ及びカラーフィルタＣＦは、絶縁基板２０の基板ＳＵＢ１と対向する側に位置している。遮光層ＢＭは、各画素を区画し、信号線Ｓの直上に位置している。カラーフィルタＣＦは、画素電極ＰＥと対向し、その一部が遮光層ＢＭに重なっている。カラーフィルタＣＦは、赤色カラーフィルタ、緑色カラーフィルタ、青色カラーフィルタなどを含む。オーバーコート層ＯＣは、カラーフィルタＣＦを覆っている。第２配向膜ＡＬ２は、オーバーコート層ＯＣを覆っている。
【００２７】
なお、カラーフィルタＣＦは、基板ＳＵＢ１に配置されてもよい。カラーフィルタＣＦは、４色以上のカラーフィルタを含んでいてもよい。白色を表示する画素には、白色のカラーフィルタが配置されてもよいし、無着色の樹脂材料が配置されてもよいし、カラーフィルタを配置せずにオーバーコート層ＯＣを配置してもよい。
【００２８】
第１偏光板ＰＬ１を含む第１光学素子ＯＤ１は、絶縁基板１０と照明装置ＢＬとの間に位置している。第２偏光板ＰＬ２を含む第２光学素子ＯＤ２は、絶縁基板２０の上に位置している。第１光学素子ＯＤ１及び第２光学素子ＯＤ２は、必要に応じて位相差板を含んでいてもよい。
【００２９】
なお、表示パネルＰＮＬは、基板主面に対して垂直な縦電界や、基板主面に対して斜め方向の電界、或いは、それらを組み合わせて利用する表示モードに対応した構成を有していてもよい。縦電界や斜め電界を利用する表示モードでは、例えば、基板ＳＵＢ１に画素電極ＰＥ及び共通電極ＣＥのいずれか一方が備えられ、基板ＳＵＢ２に画素電極ＰＥ及び共通電極ＣＥのいずれか他方が備えられた構成が適用可能である。
【００３０】
図３は、図１に示す角部ＣＮ１の近傍を拡大して示す斜視図である。
【００３１】
絶縁基板１０は、第１面１０Ａと、第２面１０Ｂと、側面Ｓ１０と、端部Ｅ１０Ａ及びＥ１０Ｂとを有している。第１面１０Ａは、絶縁基板２０と対向している。第２面１０Ｂは、第１面１０Ａと反対側の面である。側面Ｓ１０は、辺ＳＬ１、角部ＣＮ１、及び辺ＳＬ３に亘って位置し、第１面１０Ａと第２面１０Ｂとに繋がっている。一例では、側面Ｓ１０は、辺ＳＬ１においてＸ−Ｚ平面に平行な平面であり、辺ＳＬ３においてＹ−Ｚ平面に平行な平面である。また、側面Ｓ１０は、角部ＣＮ１において、図１に示す曲率半径Ｒ１で湾曲している。端部Ｅ１０Ａは、側面Ｓ１０と第１面１０Ａとの境界に相当する。端部Ｅ１０Ｂは、側面Ｓ１０と第２面１０Ｂとの境界に相当する。
【００３２】
絶縁基板２０は、第３面２０Ａと、第４面２０Ｂと、側面Ｓ２０１及びＳ２０２と、端部Ｅ２０１、Ｅ２０２、及びＥ２０３とを有している。第３面２０Ａは、絶縁基板１０と対向している。第４面２０Ｂは、第３面２０Ａと反対側の面である。
【００３３】
側面Ｓ２０１及びＳ２０２は、いずれも第３面２０Ａと第４面２０Ｂとに繋がっている。側面Ｓ２０１は、端子部ＭＴに対向した面であり、図示した例では、第１方向Ｘに沿って延在している。一例では、側面Ｓ２０１は、Ｘ−Ｚ平面と平行な平面である。側面Ｓ２０１の第１方向Ｘの端部は、角部ＣＮ１と図示しない角部ＣＮ２とに位置している。側面Ｓ２０２は、辺ＳＬ３から角部ＣＮ１の一部に亘って位置し、角部ＣＮ１において側面Ｓ２０１に繋がっている。一例では、側面Ｓ２０２は、辺ＳＬ３において、Ｙ−Ｚ平面に平行な平面であり、角部ＣＮ１において、絶縁基板１０の側面Ｓ１０と同様に湾曲している。
【００３４】
端部Ｅ２０１は、側面Ｓ２０１と第４面２０Ｂとの境界に相当する。端部Ｅ２０２は、側面Ｓ２０２と第４面２０Ｂとの境界に相当する。端部Ｅ２０３は、側面Ｓ２０１と側面Ｓ２０２との境界に相当する。なお、端部Ｅ２０１は、図１に示す辺ＳＬ５に相当する。
【００３５】
本実施形態において、絶縁基板１０と絶縁基板２０とは、角部ＣＮ１において面取りされている。
【００３６】
絶縁基板１０において、第１面１０Ａ側の端部Ｅ１０Ａと、第２面１０Ｂ側の端部Ｅ１０Ｂとは、面取りされている。端部Ｅ１０Ａは、端子部ＭＴにおいてのみ面取りされている。すなわち、端部Ｅ１０Ａは、角部ＣＮ１において、絶縁基板１０が絶縁基板２０よりも延出した領域でのみ面取りされている。一方、端部Ｅ１０Ｂは、角部ＣＮ１の全体に亘って面取りされている。換言すると、絶縁基板１０は、端子部ＭＴにおいて第１面１０Ａ側に位置する斜面Ｈ１１と、角部ＣＮ１の全体において第２面１０Ｂ側に位置する斜面Ｈ１２とを有している。
【００３７】
絶縁基板２０において、端部Ｅ２０２は、面取りされている。図示した例では、端部Ｅ２０２は、角部ＣＮ１の全体に亘って面取りされている。換言すると、絶縁基板２０は、端子部ＭＴと隣接する位置において、第４面２０Ｂ側に位置する斜面Ｈ２２を有している。一方、端部Ｅ２０１は、面取りされていない。詳細は後述するが、本実施形態において、斜面Ｈ１１の幅は、斜面Ｈ２２の幅より小さい。なお、本実施形態において「斜面」とは、平面である場合と曲面である場合の両方を含む。斜面が曲面である場合、後述するように、斜面は、凹面であってもよく、凸面であってもよい。
【００３８】
なお、図示は省略するが、角部ＣＮ２、ＣＮ３及びＣＮ４においても、絶縁基板１０及び２０は、角部ＣＮ１と同様に面取りされている。また、図示した例では、絶縁基板１０及び２０は、角部ＣＮ１においてのみ面取りされているが、辺ＳＬ１及びＳＬ３において面取りされていてもよい。
【００３９】
図４は、図３に示す方向ＤＲ１に沿った断面図である。方向ＤＲ１は、点Ｏを基準とした角部ＣＮ１の半径方向である。ここでは、方向ＤＲ１は、Ｘ−Ｙ平面と平行であり、且つ、点Ｏから斜面Ｈ２２へ向かう方向である。図４は、方向ＤＲ１と第３方向Ｚによって規定されるＤＲ１−Ｚ平面を示している。ここでは説明に必要な構成のみを示しており、絶縁膜や配向膜などは図示を省略している。
【００４０】
表示パネルＰＮＬは、絶縁基板１０と、絶縁基板２０と、シールＳＥと、周辺遮光層ＢＭＡとを有している。
【００４１】
絶縁基板１０は、第１面１０Ａと、第１面１０Ａと反対側の第２面１０Ｂと、第１面１０Ａと第２面１０Ｂとの間に位置する側面Ｓ１０とを有している。絶縁基板２０は、第３面２０Ａと、第３面２０Ａと反対側の第４面２０Ｂと、第３面２０Ａと第４面２０Ｂとの間に位置する側面Ｓ２０２とを有している。第１面１０Ａ、第２面１０Ｂ、第３面２０Ａ、及び第４面２０Ｂは、Ｘ−Ｙ平面に平行な平面である。また、側面Ｓ１０及びＳ２０２は、第３方向Ｚと平行な面である。絶縁基板１０と絶縁基板２０とは、第１面１０Ａと第３面２０Ａとが対向するように、シールＳＥによって接着されている。図示した例では、側面Ｓ１０の方向ＤＲ１の位置と側面Ｓ２０２の方向ＤＲ１の位置とが一致している。
【００４２】
絶縁基板１０において、上述したように、第２面１０Ｂ側の端部Ｅ１０Ｂは、面取りされている。すなわち、絶縁基板１０は、側面Ｓ１０と第２面１０Ｂとに繋がる斜面Ｈ１２を有している。図示した例では、斜面Ｈ１２は、平面であり、側面Ｓ１０に向かって絶縁基板１０の厚さＴ１０が小さくなるように傾いている。
【００４３】
絶縁基板２０において、上述したように、第４面２０Ｂ側の端部Ｅ２０２は、面取りされている。すなわち、絶縁基板２０は、側面Ｓ２０２と第４面２０Ｂとに繋がる斜面Ｈ２２を有している。図示した例では、斜面Ｈ２２は、平面であり、側面Ｓ２０２に向かって絶縁基板２０の厚さＴ２０が小さくなるように傾いている。
【００４４】
一例では、絶縁基板１０における斜面Ｈ１２の幅Ｌ１２と、絶縁基板２０における斜面Ｈ２２の幅Ｌ２２とは、等しい。ここで、幅Ｌ１２は、斜面Ｈ１２が形成された領域の方向ＤＲ１に沿った長さである。同様に、幅Ｌ２２は、斜面Ｈ２２が形成された領域の方向ＤＲ１に沿った長さである。
【００４５】
図示した例では、絶縁基板１０及び２０は、いずれもＣ面取りされている。すなわち、絶縁基板１０において、斜面Ｈ１２の第３方向Ｚに沿った幅Ｌ１２Ｚは、方向ＤＲ１に沿った幅Ｌ１２と等しい。また、絶縁基板２０において、斜面Ｈ２２の第３方向Ｚに沿った幅Ｌ２２Ｚは、方向ＤＲ１に沿った幅Ｌ２２と等しい。なお、幅Ｌ１２Ｚは、幅Ｌ１２と異なっていてもよく、幅Ｌ２２Ｚは、幅Ｌ２２と異なっていてもよい。
【００４６】
図示した例では、周辺遮光層ＢＭＡは、第３面２０Ａの全面に設けられ、方向ＤＲ１の一端が側面Ｓ１０及びＳ２０２と揃っている。すなわち、周辺遮光層ＢＭＡは、斜面Ｈ１２及びＨ２２と第３方向Ｚに重なっている。一方、シールＳＥは、側面Ｓ１０及びＳ２０２から離間している。一例では、シールＳＥは、斜面Ｈ１２及びＨ２２と第３方向Ｚに重なっていない。
【００４７】
図５は、図３に示す方向ＤＲ２に沿った断面図である。方向ＤＲ２は、点Ｏを基準とした角部ＣＮ１の半径方向である。ここでは、方向ＤＲ２は、Ｘ−Ｙ平面と平行であり、且つ、点Ｏから端子部ＭＴへ向かう方向である。図５は、方向ＤＲ２と第３方向Ｚによって規定されるＤＲ２−Ｚ平面を示している。
【００４８】
方向ＤＲ２において、絶縁基板１０は、絶縁基板２０より延出した端子部ＭＴを有している。ここでは、端子部ＭＴは、絶縁基板１０のうち、絶縁基板２０の側面Ｓ２０１よりも延出した部分に相当する。第１面１０Ａは、端子部に位置する接続面ＣＳを含んでいる。換言すると、接続面ＣＳは、第１面１０Ａのうち絶縁基板２０より延出した領域に相当する。第３面２０Ａは、接続面ＣＳを除く第１面１０Ａと対向している。側面Ｓ２０１は、第３面２０Ａと第４面２０Ｂとの間に位置し、一例では、第３方向Ｚに平行な面である。なお、方向ＤＲ２に沿った断面においては、絶縁基板２０は、いずれの端部も面取りされていない。
【００４９】
絶縁基板１０は、上述したように、端子部ＭＴにおいて、端部Ｅ１０Ｂに加えて端部Ｅ１０Ａも面取りされている。すなわち、絶縁基板１０は、端子部ＭＴにおいて、斜面Ｈ１２に加えて、側面Ｓ１０と第１面１０Ａとに繋がる斜面Ｈ１１を有している。図示した例では、斜面Ｈ１１は、平面であり、絶縁基板１０の厚さＴ１０が側面Ｓ１０に向かって小さくなるように傾いている。
【００５０】
本実施形態において、斜面Ｈ１１の幅Ｌ１１は、斜面Ｈ１２の幅Ｌ１２より小さい。ここで、幅Ｌ１１は、斜面Ｈ１１が形成された領域の方向ＤＲ２に沿った長さである。同様に、幅Ｌ１２は、斜面Ｈ１２が形成された領域の方向ＤＲ２に沿った長さである。なお、幅Ｌ１２は、図４に示す幅Ｌ１２と等しい。幅Ｌ１１が幅Ｌ１２より小さいため、端子部ＭＴにおける第１面１０Ａの長さ（すなわち接続面ＣＳの長さ）Ｌ１０Ａは、端子部ＭＴにおける第２面１０Ｂの長さＬ１０Ｂより大きい。なお、ここでの長さＬ１０Ａ及びＬ１０Ｂは、方向ＤＲ２に沿った長さである。
【００５１】
図示した例では、端部Ｅ１０Ａは、Ｃ面取りされている。すなわち、斜面Ｈ１１の第３方向Ｚに沿った幅Ｌ１１Ｚは、方向ＤＲ２に沿った幅Ｌ１１と等しい。なお、幅Ｌ１１Ｚは、幅Ｌ１１と異なっていてもよい。
【００５２】
なお、上述の斜面Ｈ１１、Ｈ１２、及びＨ２２の形成方法は、特に限定されない。斜面Ｈ１１、Ｈ１２、及びＨ２２は、例えば、研磨することで形成されてもよく、エッチングによって形成されてもよく、レーザーを照射することで形成されてもよい。
【００５３】
本実施形態によれば、絶縁基板１０及び絶縁基板２０が面取りされている。したがって、絶縁基板１０及び２０の端部において、絶縁基板１０及び２０の割れの起点となるマイクロクラックやマイクロチッピング等が生じることを抑制することができる。これにより、絶縁基板１０及び２０の強度を向上することができる。
【００５４】
さらに、端子部ＭＴにおいて、第１面１０Ａ側に位置する斜面Ｈ１１の幅Ｌ１１は、第２面１０Ｂ側に位置する斜面Ｈ１２の幅Ｌ１２、及び絶縁基板２０の斜面Ｈ２２の幅Ｌ２２より小さい。したがって、端子部ＭＴにおいて、第１面１０Ａの面積を第２面１０Ｂの面積より大きくすることができる。このような構成は、第１面１０Ａに配線基板１が実装される場合に好適である。
【００５５】
また、面取りは、角部ＣＮにおいて施されている。角部ＣＮは、例えば、ガラス基板を矩形状の個片にカットした後、研磨等によって形成される。あるいは、角部ＣＮは、ガラス基板を例えばレーザーを用いて個片にカットする際に、曲線状に切り出すことで形成される。本実施形態によれば、角部ＣＮの形成の際にマイクロクラックやマイクロチッピングなどが絶縁基板１０及び２０の端部に生じた場合であっても、そのような領域が面取りによって除去されるので、絶縁基板１０及び２０の強度を向上することができる。
【００５６】
図６は、角部ＣＮ１の他の構成例を示す斜視図である。
【００５７】
図６に示す構成例は、絶縁基板２０が、側面Ｓ２０１と側面Ｓ２０２との間に位置する斜面Ｈ４を有している点で、図３に示す例と相違している。斜面Ｈ４は、図３に示す端部Ｅ２０３近傍の領域に形成されている。すなわち、図６に示す構成例では、端部Ｅ２０３は、そのすべてが面取りされている。図示した例では、斜面Ｈ４は、斜面Ｈ２２と繋がっている。また、端部Ｅ２０１は、角部ＣＮ１において第１方向Ｘの端部が面取りされている。
【００５８】
図示した例では、絶縁基板２０は、絶縁基板１０と一体的に面取りされている。すなわち、斜面Ｈ１１と、斜面Ｈ４と、斜面Ｈ２２とは、連続的に形成されている。
【００５９】
図７Ａは、図６に示す方向ＤＲ３に沿った断面図である。方向ＤＲ３は、点Ｏを基準とした角部ＣＮ１の半径方向である。ここでは、方向ＤＲ３は、Ｘ−Ｙ平面と平行であり、且つ、点Ｏから斜面Ｈ４へ向かう方向である。図７は、方向ＤＲ３と第３方向Ｚによって規定されるＤＲ３−Ｚ平面を示している。
【００６０】
方向ＤＲ３において、斜面Ｈ４は、斜面Ｈ１１よりも点Ｏ側、すなわち表示領域ＤＡ側に位置している。斜面Ｈ４は、第４面２０Ｂと第３面２０Ａとに繋がっている。斜面Ｈ４は、一例では、曲率半径がＲ２の凹面である。図示した例では、絶縁基板２０、周辺遮光層ＢＭＡ、及び絶縁基板１０は、一体的に面取りされている。すなわち、斜面Ｈ１１は、曲率半径がＲ２の凹面であり、斜面Ｈ１１の曲率中心の位置は、斜面Ｈ４の曲率中心の位置と等しい。なお、斜面Ｈ１１の曲率半径と斜面Ｈ４の曲率半径とは、異なっていてもよい。また、端子部ＭＴの構造は、斜面Ｈ１１が凹面であることを除いて、図５と同様である。
【００６１】
図示した例では、絶縁基板１０において、斜面Ｈ１１の幅Ｌ１１は、斜面Ｈ１２の幅Ｌ１２より小さい。ここで、幅Ｌ１１は、斜面Ｈ１１が形成された領域の方向ＤＲ３に沿った長さである。同様に、幅Ｌ１２は、斜面Ｈ１２が形成された領域の方向ＤＲ３に沿った長さである。幅Ｌ１２は、図４及び図５に示す幅Ｌ１２と等しい。なお、絶縁基板１０の第２面１０Ｂ側は、面取りされていなくてもよい。
【００６２】
本構成例においても、図３に示す構成例と同様の効果を得ることができる。さらに、本構成例によれば、絶縁基板１０の端部Ｅ１０Ａと、絶縁基板２０の端部Ｅ２０１、Ｅ２０２、及びＥ２０３とを同一の工程で面取りすることができる。すなわち、端子部ＭＴ及び角部ＣＮ１が形成された後、端部Ｅ１０Ａを例えば辺ＳＬ１側から辺ＳＬ３側へ向かって面取りすることで、斜面Ｈ１１と斜面Ｈ４とを連続して形成することができる。また、角部ＣＮ２においても、図６及び図７に示す構成例を適用することができる。したがって、製造工程数を減らすことができる。
【００６３】
図７Ｂは、角部ＣＮ１の他の構成例を示す断面図である。図７Ｂに示す構成例は、斜面Ｈ４及びＨ１１が平面である点で、図７Ａに示す構成例と相違している。
【００６４】
図示した例では、斜面Ｈ４と斜面Ｈ１１とは、一体的に形成されている。すなわち、斜面Ｈ４と斜面Ｈ１１とは、傾斜角が等しく、且つ、同一平面に位置している。斜面Ｈ４の傾斜角と斜面Ｈ１１の傾斜角とは、適宜に変更することができる。なお、斜面Ｈ４の傾斜角と斜面Ｈ１１の傾斜角とは異なっていてもよく、斜面Ｈ４と斜面Ｈ１１とは異なる平面内に位置していてもよい。
【００６５】
本構成例においても、図７Ａに示す構成例と同様の効果を得ることができる。
【００６６】
図８は、角部ＣＮ１の他の構成例を示す断面図である。図８は、方向ＤＲ２及び第３方向Ｚによって規定されるＤＲ２−Ｚ平面に平行な断面を示している。図８に示す構成例は、斜面Ｈ１１及びＨ１２が凸面である点で図５に示す構成例と相違している。
【００６７】
図示した例では、斜面Ｈ１１は、曲率半径がＲ３の曲面であり、斜面Ｈ１２は、曲率半径がＲ４の曲面である。曲率半径Ｒ３は、曲率半径Ｒ４より小さい。したがって、本構成例においても、端子部ＭＴにおいて、第１面１０Ａの長さＬ１０Ａは、第２面１０Ｂの長さＬ１０Ｂより大きい。
【００６８】
本構成例においても、図５に示す構成例と同様の効果を得ることができる。
【００６９】
以上説明したように、本実施形態によれば、基板の強度を向上することが可能な表示装置を提供することができる。
【００７０】
なお、本実施形態において、絶縁基板１０は、第１基板に相当し、絶縁基板２０は、第２基板に相当する。絶縁基板１０の側面Ｓ１０は、第１側面に相当し、斜面Ｈ１１は、第１斜面に相当し、斜面Ｈ１２は、第３斜面に相当する。絶縁基板２０の側面Ｓ２０２は、第２側面に相当し、側面Ｓ２０１は、第３側面に相当し、斜面Ｈ２２は、第２斜面に相当し、斜面Ｈ４は、第４斜面に相当する。また、表示パネルＰＮＬの辺ＳＬ１は、第１辺に相当し、辺ＳＬ３は、第２辺に相当する。
【００７１】
なお、この発明は、上記実施形態そのものに限定されるものではなく、その実施の段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００７２】
１…配線基板、２…駆動ＩＣチップ、１０…絶縁基板（第１基板）、１０Ａ…第１面、１０Ｂ…第２面、２０…絶縁基板（第２基板）、２０Ａ…第３面、２０Ｂ…第４面、Ｓ１０…側面（第１側面）、Ｓ２０１…側面（第３側面）、Ｓ２０２…側面（第２側面）、Ｈ１１…斜面（第１斜面）、Ｈ１２…斜面（第３斜面）、Ｈ２２…斜面（第２斜面）、Ｈ４…斜面（第４斜面）、ＣＳ…接続面、ＰＮＬ…表示パネル、ＳＬ１，ＳＬ２，ＳＬ３，ＳＬ４，ＳＬ５…辺、ＣＮ１，ＣＮ２，ＣＮ３，ＣＮ４…角部、ＭＴ…端子部、ＤＡ…表示領域、ＮＤＡ…非表示領域。
【図１】
2018180017.tif 000003
【図２】
2018180017.tif 000004
【図３】
2018180017.tif 000005
【図４】
2018180017.tif 000006
【図５】
2018180017.tif 000007
【図６】
2018180017.tif 000008
【図７Ａ】
2018180017.tif 000009
【図７Ｂ】
2018180017.tif 000010
【図８】
2018180017.tif 000011